(57)【要約】【課題】多層光ディスクに情報を記録する際の最適記録パワーを設定することができる最適記録パワー設定方法と、その方法を用いて最適記録パワーを設定することにより安定した記録品質で記録を行うことができる記録方法及び光ディスク装置を実現する。【解決手段】３層以上の記録層を有する多層光ディスクの試し書き領域にレーザ光を照射し、該レーザ光の記録パワーを変化させて試し書きを行い、試し書き結果の変調度を測定して最適記録パワーを設定する最適記録パワー設定方法において、試し書きを行う記録層以外の記録層からの反射光（フレア光）の影響を除いた変調度を用いる。例えばディスクにプリフォーマットされている値を用いてフレア光の影響を除いた変調度を算出する事により、３層光ディスクにおいても２層光ディスクのときと同様に最適な記録パワーを得る事ができる。【選択図】図３
2009129497.tif 000002
【特許請求の範囲】
【請求項１】
３層以上の記録層を有する多層光ディスクの試し書き領域にレーザ光を照射し、該レーザ光の記録パワーを変化させて試し書きを行い、試し書き結果の変調度を測定して最適記録パワーを設定する最適記録パワー設定方法において、
試し書きを行う記録層以外の記録層からの反射光（以下、フレア光と言う）の影響を除いた変調度を用いる事を特徴とする最適記録パワー設定方法。
【請求項２】
請求項１に記載の最適記録パワー設定方法において、
前記多層光ディスクにプリフォーマットされている値を用いてフレア光の影響を除いた変調度を算出する事を特徴とする最適記録パワー設定方法。
【請求項３】
請求項２に記載の最適記録パワー設定方法において、
前記多層光ディスクにプリフォーマットされている値は、フレア光の影響のある変調度とフレア光の影響の無い変調度との比である事を特徴とする最適記録パワー設定方法。
【請求項４】
請求項３に記載の最適記録パワー設定方法において、
前記多層光ディスクにプリフォーマットされている値は、記録層間隔である事を特徴とする最適記録パワー設定方法。
【請求項５】
３層以上の記録層を有する多層光ディスクにレーザ光を照射し、情報を記録する記録方法において、
請求項１〜４のいずれか１項に記載の最適記録パワー設定方法を用いて前記レーザ光の最適記録パワーを設定し、情報を記録することを特徴とする記録方法。
【請求項６】
３層以上の記録層を有する多層光ディスクにレーザ光を照射し、情報の記録または再生を行う光ディスク装置において、
請求項５に記載の記録方法を用いて情報の記録を行うことを特徴とする光ディスク装置。
【発明の詳細な説明】
【技術分野】
【０００１】
本発明は、最適記録パワー設定方法、記録方法及び光ディスク装置に係り、さらに詳しくは、情報の書き換えが可能な複数の記録層を有する光ディスクに情報を記録する際の最適記録パワーの設定方法と、その最適記録パワー設定方法を用いて最適記録パワーを設定し、情報を記録する記録方法及び、その記録方法を用いて前記光ディスクに対して情報の記録を行う光ディスク装置に関する。
【背景技術】
【０００２】
近年、デジタル技術の進歩及びデータ圧縮技術の向上に伴い、音楽、映画、写真及びコンピュータソフトなどの情報（以下「コンテンツ」とも言う）を記録するための媒体として、ＤＶＤ（digital versatile disc）などの光ディスクが注目されるようになり、その低価格化とともに、光ディスクを情報記録の対象媒体とする光ディスク装置が普及するようになった。
【０００３】
光ディスク装置では、光ディスクのスパイラル状又は同心円状のトラックが形成された記録面にレーザ光の微小スポットを形成することにより情報の記録を行い、記録面からの反射光に基づいて情報の再生などを行っている。この光ディスク装置には、光ディスクの記録面にレーザ光を照射するとともに、記録面からの反射光を受光するために、光ピックアップ装置が設けられている。
【０００４】
通常、光ピックアップ装置は、対物レンズを含み、光源から出射される光束を光ディスクの記録面に導くとともに、記録面で反射された戻り光束を所定の受光位置まで導く光学系、前記受光位置に配置された光検出器、及び対物レンズをその光軸方向（以下「フォーカス方向」と言う）や、トラックの接線方向に直交する方向（以下「トラッキング方向」と言う）に駆動するためのレンズ駆動装置などを備えている。光検出器からは、記録面に記録されているデータの再生情報だけでなく、対物レンズの位置制御に必要な情報（サーボ情報）を含む信号が出力される。
【０００５】
光ディスクでは、互いに反射率の異なるマーク及びスペースのそれぞれの長さとそれらの組み合わせとによって情報が記録される。
例えば、ＤＶＤ＋ＲＷ（ＤＶＤ＋rewritable）及びＤＶＤ＋Ｒ（ＤＶＤ＋recordable）など記録可能なＤＶＤは、記録ストラテジと呼ばれる発光パワーのパルス形状等に関する規則（方式）に基づいて、発光パワーのパルス形状等を設定している。
そして、光ディスク装置では、記録に際して、光ディスクの目標位置に目標長さのマーク及びスペースがそれぞれ形成されるように、情報の記録に先立って、予め設定されているＰＣＡ（Power Calibration Area）と呼ばれる試し書き領域に試し書きを行って、最適な記録パワーを取得している（例えば、非特許文献１参照）。この処理は、ＯＰＣ（Optimum Power Control）処理と呼ばれている。
【０００６】
ところで、コンテンツの情報量は、年々増加する傾向にあり、光ディスクの記録容量の更なる増加が期待されている。そこで、光ディスクの記録容量を増加させる手段の一つとして、記録層の多層化が考えられ、複数の記録層を有する光ディスク（以下「多層光ディスク」と言う）及び該多層光ディスクをアクセス対象とする光ディスク装置の開発が盛んに行われている。そして、多層光ディスクにおいても適切な記録パワーを取得することは重要であり、ＯＰＣ処理について各種提案がなされている（例えば、特許文献１、２参照）。
しかしながら、記録可能な多層光ディスクでは、例えば記録層数が３層以上になると、ＯＰＣ処理で得られた最適な記録パワーで記録しても、記録品質がばらつくことがあった。
【０００７】
【特許文献１】特許第３８９５３５４号公報
【特許文献２】特開２００７−１１５３８６号公報
【非特許文献１】ＥＣＭＡ−３３７「Data Interchange on 120mm and 80mm Optical Disk using +RW Format Capacity: 4.7 and 1.46 Ｇbytes per Side」１２月 ２００３年
【発明の開示】
【発明が解決しようとする課題】
【０００８】
以下に図を用いて説明する。
図５は２層光ディスク１５からの反射光の状況を示した図である。この２層光ディスク１５は、Ｌ０、Ｌ１の２つの記録層を持つ。図５はＬ１に光ピックアップの対物レンズ６０からのレーザ光の焦点が合っている状態であり、Ｌ１からの読み出し光の他にＬ０からのフレア光も２層光ディスク１５からの反射光に含まれている。
【０００９】
図６は２層光ディスク１５からの反射光の受光量とデフォーカスの関係を示した図である。Ｌ０からの反射光とＬ１からの反射光があるが、実際には区別が出来ないので全体からの反射光が受光量となる。この図に示すように２層光ディスク１５において、Ｌ１に光ピックアップからのレーザ光の焦点が合っている状態では、Ｌ０からのフレア光の影響は微小であった。また逆にＬ０に光ピックアップの対物レンズ６０からのレーザ光の焦点が合っている状態では、Ｌ１からのフレア光の影響は微小である。また、言い換えると２層光ディスク１５は隣接層からのフレアの影響を極力小さくするように設計されていたとも言える。
しかし、光ディスクの記録容量の更なる増加が期待されている今日では３層以上の多層化が求められている。
【００１０】
図７は３層光ディスク１５からの反射光の状況を示した図である。３層光ディスク１５は、Ｌ０、Ｌ１、Ｌ２の３つの記録層を持つ。図７はＬ１に光ピックアップの対物レンズ６０からのレーザ光の焦点が合っている状態であり、Ｌ１からの読み出し光の他にＬ０からのフレア光、Ｌ２からのフレア光も３層光ディスク１５からの反射光に含まれている。
【００１１】
図８は３層光ディスク１５からの反射光の受光量とデフォーカスの関係を示した図である。Ｌ０からの反射光とＬ１からの反射光とＬ２からの反射光があるが、実際には区別が出来ないので全体からの反射光が受光量となる。この図に示すように３層光ディスク１５において、Ｌ１に光ピックアップからのレーザ光の焦点が合っている状態では、Ｌ０からのフレア光とＬ２からのフレア光の影響は非常に大きい。
【００１２】
例えば、非特許文献１でのＯＰＣの方法は、いわゆるγ法と呼ばれており、記録パワーと再生信号の変調度の関係から最適記録パワーを算出する方法を採用している（非特許文献１、ｐ．９３、Annex Ｈ、Ｈ．１参照）。
【００１３】
図９で、２層光ディスクのＬ１層、３層光ディスクのＬ１層を、γ法を用いてＯＰＣを行った場合を説明する。
γ法は記録パワーＰｗを変化させながら記録し、その記録結果を再生した時の変調度ｍを測定し、その変調度ｍからγ＝（ｄｍ/ｄＰｗ）/（Ｐｗ/ｍ）を算出し、γ＝γｔａｒｇｅｔとなったＰｗにρを乗算した値Ｐｐを最適記録パワーとする方法である。
【００１４】
２層光ディスクのＬ１層の場合は、γ＝γｔａｒｇｅｔとなったＰｗをＰｔａｒｇｅｔ２とする。そして、Ｐｔａｒｇｅｔ２にρ（１以上の値）を乗算した値Ｐｐ２を最適記録パワーとする。
また、３層光ディスクのＬ１層の場合は、γ＝γｔａｒｇｅｔとなったＰｗをＰｔａｒｇｅｔ３とする。そして、Ｐｔａｒｇｅｔ３にρ（１以上の値）を乗算した値Ｐｐ３を最適記録パワーとする。
【００１５】
図９に示す通り、γ法を用いてＯＰＣを行った場合、３層光ディスクの最適記録パワーＰｐ３は、２層光ディスクの最適記録パワーＰｐ２より低くなってしまう。
つまり、３層光ディスクに情報を記録する場合は、低い記録パワーで記録してしまい、所望の記録品質が得られない。
【００１６】
本発明は上記事情に鑑みてなされたものであり、複数の書き換え可能な記録層を有する光ディスクに情報を記録する際の最適記録パワーを設定することができる最適記録パワー設定方法を提供すること、そして、その最適記録パワー設定方法を用いて最適記録パワーを設定することにより、安定した記録品質で記録を行うことができる記録方法を提供することを目的とし、さらには、その記録方法を用いて安定した記録品質で記録を行うことができる光ディスク装置を提供することを目的とする。
【課題を解決するための手段】
【００１７】
上記の目的を達成するため、本発明では以下のような解決手段を採っている。
本発明の第１の手段は、３層以上の記録層を有する多層光ディスクの試し書き領域にレーザ光を照射し、該レーザ光の記録パワーを変化させて試し書きを行い、試し書き結果の変調度を測定して最適記録パワーを設定する最適記録パワー設定方法において、試し書きを行う記録層以外の記録層からの反射光（以下、フレア光と言う）の影響を除いた変調度を用いる事を特徴とする。
また、本発明の第２の手段は、第１の手段の最適記録パワー設定方法において、前記多層光ディスクにプリフォーマットされている値を用いてフレア光の影響を除いた変調度を算出する事を特徴とする。
さらに、本発明の第３の手段は、第２の手段の最適記録パワー設定方法において、前記多層光ディスクにプリフォーマットされている値は、フレア光の影響のある変調度とフレア光の影響の無い変調度との比である事を特徴とする。
さらに、本発明の第４の手段は、第３の手段の最適記録パワー設定方法において、前記多層光ディスクにプリフォーマットされている値は、記録層間隔である事を特徴とする。
【００１８】
本発明の第５の手段は、３層以上の記録層を有する多層光ディスクにレーザ光を照射し、情報を記録する記録方法において、第１〜第４のいずれか１つの手段の最適記録パワー設定方法を用いて前記レーザ光の最適記録パワーを設定し、情報を記録することを特徴とする。
また、本発明の第６の手段は、３層以上の記録層を有する多層光ディスクにレーザ光を照射し、情報の記録または再生を行う光ディスク装置において、第５の手段の記録方法を用いて情報の記録を行うことを特徴とする。
【発明の効果】
【００１９】
本発明の第１の手段では、３層以上の記録層を有する多層光ディスクの試し書き領域にレーザ光を照射し、該レーザ光の記録パワーを変化させて試し書きを行い、試し書き結果の変調度を測定して最適記録パワーを設定する最適記録パワー設定方法において、試し書きを行う記録層以外の記録層からの反射光（フレア光）の影響を除いた変調度を用いる事により、３層光ディスクにおいても２層光ディスクのときと同様に最適な記録パワーを得る事が可能となる。
また、本発明の第２の手段では、第１の手段の最適記録パワー設定方法において、ディスクにプリフォーマットされている値を用いてフレア光の影響を除いた変調度を算出する事により、３層光ディスクにおいても２層光ディスクのときと同様に最適な記録パワーを得る事が可能となる。
さらに、本発明の第３の手段では、第２の手段の最適記録パワー設定方法において、ディスクにプリフォーマットされている値α（α＝（フレア光の影響のある変調度）／（フレア光の影響の無い変調度））を用いる事により、３層光ディスクにおいても２層光ディスクのときと同様に最適な記録パワーを得る事が可能となる。
さらに、本発明の第４の手段では、第３の手段の最適記録パワー設定方法において、ディスクにプリフォーマットされている記録層間隔からαを求め、その求められたαを用いる事により、３層光ディスクにおいても２層光ディスクのときと同様に最適な記録パワーを得る事が可能となる。
【００２０】
本発明の第５の手段では、３層以上の記録層を有する多層光ディスクにレーザ光を照射し、情報を記録する記録方法において、第１〜第４のいずれか１つの手段の最適記録パワー設定方法を用いて前記レーザ光の最適記録パワーを設定し、情報を記録することにより、安定した記録品質で記録を行うことができる記録方法を実現することが可能となる。
また、本発明の第６の手段では、３層以上の記録層を有する多層光ディスクにレーザ光を照射し、情報の記録または再生を行う光ディスク装置において、第５の手段の記録方法を用いて情報の記録を行うことにより、安定した記録品質で記録を行うことができる光ディスク装置を実現することが可能となる。
【発明を実施するための最良の形態】
【００２１】
以下、本発明の最適記録パワー設定方法、記録方法及び光ディスク装置について、図１〜図４、及び図９に基づいて詳細に説明する。
【実施例】
【００２２】
図１は本発明の一実施例を示す図であって、光ディスク装置２０の概略構成を示すブロック図である。
この図１に示される光ディスク装置２０は、本発明の一実施例に係る光ディスク１５を回転駆動するスピンドルモータ２２、光ピックアップ装置２３、該光ピックアップ装置２３をスレッジ方向に駆動するシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施例では、光ディスク装置２０は多層光ディスクに対応しているものとする。
【００２３】
前記光ディスク１５は、片側の面から光束が入射され、一例として、記録可能な３つの記録層を有している。すなわち、光ディスク１５は、記録可能な片面３層光ディスクであり、一例として図７に示されるように、光束の入射面に近いほうから順に、Ｌ０、Ｌ１、Ｌ２の３つの記録層を有している。
例えば各記録層におけるデータゾーンは、半径位置が２４．０ｍｍ〜５８．０ｍｍの間に設けられている。そして、各記録層におけるデータゾーン２４．０ｍｍ〜５８．０ｍｍを避けた位置に各層の試し書き領域であるドライブテストゾーンを設ける事が可能である。例えば各ドライブテストゾーンは、いずれも半径位置で２３．４ｍｍ〜２３．７５ｍｍの間及び、半径位置が５８．１ｍｍ〜５８．２５ｍｍの間に設けても良い。すなわち、ここでは、試し書き領域は、各記録層の内周部と外周部とに設けられている。なお、以下では便宜上、ドライブテストゾーンを「ＰＣＡ（Power Calibration Area）」とも言う。
【００２４】
前記光ピックアップ装置２３は、光ディスク１５の２つの記録層のうちアクセス対象の記録層（以下「対象記録層」と略述する）にレーザ光を集光するとともに、光ディスク１５からの反射光を受光するための装置である。この光ピックアップ装置２３は、一例として図２に示されるように、光源ユニット５１、カップリングレンズ５２、偏光ビームスプリッタ５４、１／４波長板５５、対物レンズ６０、集光レンズ５８、光検出器としての受光器ＰＤ、及び対物レンズ６０を駆動するための駆動系ＡＣなどを備えている。
【００２５】
上記光源ユニット５１は、光ディスク１５に対応する波長（ここでは約６６０ｎｍ）のレーザ光を発光する光源としての半導体レーザＬＤを含んで構成されている。なお、本実施例では、光源ユニット５１から出射されるレーザ光の最大強度出射方向を＋Ｘ方向とする。また、一例として光源ユニット５１からは偏光ビームスプリッタ５４の入射面に平行な偏光（Ｐ偏光）の光束が出射されるものとする。
この光源ユニット５１の＋Ｘ側には、前記カップリングレンズ５２が配置され、光源ユニット５１から出射された光束を略平行光とする。
【００２６】
前記偏光ビームスプリッタ５４は、カップリングレンズ５２の＋Ｘ側に配置されている。この偏光ビームスプリッタ５４は、入射する光束の偏光状態に応じてその反射率が異なっている。ここでは、偏光ビームスプリッタ５４は、一例としてＰ偏光に対する反射率が小さく、Ｓ偏光に対する反射率が大きくなるように設定されている。すなわち、光源ユニット５１から出射された光束の大部分は、偏光ビームスプリッタ５４を透過することができる。この偏光ビームスプリッタ５４の＋Ｘ側には、前記１／４波長板５５が配置されている。
この１／４波長板５５は、入射した光束に１／４波長の光学的位相差を付与する。１／４波長板５５の＋Ｘ側には、前記対物レンズ６０が配置され、１／４波長板５５を介した光束を対象記録層に集光する。ここでは、対物レンズ６０のＮＡ（開口数）は０．６０である。
【００２７】
前記検出レンズ５８は、偏光ビームスプリッタ５４の−Ｚ側に配置され、偏光ビームスプリッタ５４で−Ｚ方向に分岐した戻り光束を前記受光器ＰＤの受光面に集光する。この受光器ＰＤは、再生信号処理回路２８にてＲＦ信号、ウォブル信号及びサーボ信号などを検出するのに最適な信号（光電変換信号）を生成するための複数の受光素子（又は受光領域）を含んで構成されている。
【００２８】
前記駆動系ＡＣは、対物レンズ６０の光軸方向であるフォーカス方向に対物レンズ６０を微小駆動するためのフォーカシングアクチュエータ、及びトラッキング方向に対物レンズ６０を微小駆動するためのトラッキングアクチュエータを有している。
【００２９】
次に、上記のように構成される光ピックアップ装置２３の作用を簡単に説明する。
光源ユニット５１から出射された直線偏光（ここではＰ偏光）の光束は、カップリングレンズ５２で略平行光となり、偏光ビームスプリッタ５４に入射する。この光束の大部分は偏光ビームスプリッタ５４をそのまま透過し、１／４波長板５５で円偏光とされ、対物レンズ６０を介して光ディスク１５の対象記録層に微小スポットとして集光される。光ディスク１５からの反射光は、往路とは反対回りの円偏光となり、戻り光束として対物レンズ６０で再び略平行光とされ、１／４波長板５５で往路と直交した直線偏光（ここではＳ偏光）とされる。そして、この戻り光束は偏光ビームスプリッタ５４に入射する。偏光ビームスプリッタ５４で−Ｚ方向に反射された戻り光束は、検出レンズ５８を介して受光器ＰＤで受光される。受光器ＰＤでは受光素子（又は受光領域）毎に光電変換され、各光電変換信号はそれぞれ再生信号処理回路２８に出力される。
【００３０】
図１に戻り、前記再生信号処理回路２８は、前記受光器ＰＤの出力信号（複数の光電変換信号）に基づいて、サーボ信号（フォーカスエラー信号やトラックエラー信号など）、アドレス情報、同期情報及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。さらに、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。また、再生データに含まれるアドレス情報はＣＰＵ４０に出力される。
【００３１】
前記駆動制御回路２６は、再生信号処理回路２８からのトラックエラー信号に基づいて、トラッキング方向に関する対物レンズ６０の位置ずれを補正するための前記トラッキングアクチュエータの駆動信号を生成する。また、駆動制御回路２６は、再生信号処理回路２８からのフォーカスエラー信号に基づいて、対物レンズ６０のフォーカスずれを補正するための前記フォーカシングアクチュエータＡＣの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００３２】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００３３】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行い、光ディスク１５への書き込み信号を生成する。ここで生成された書き込み信号はレーザ制御回路２４に出力される。
【００３４】
前記レーザ制御回路２４は、前記半導体レーザＬＤの発光パワーを制御する。例えば記録の際には、前記書き込み信号、記録条件、及び半導体レーザＬＤの発光特性などに基づいて、半導体レーザＬＤの駆動信号がレーザ制御回路２４にて生成される。
【００３５】
前記インターフェース３８は、上位装置９０（例えば、パーソナルコンピュータ）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００３６】
前記フラッシュメモリ３９には、ＣＰＵ４０にて解読可能なコードで記述された本発明の一実施例に係るプログラムを含む各種プログラム、及び半導体レーザＬＤの発光特性などの各種データが格納されている。
【００３７】
前記ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００３８】
次に、上位装置９０から記録要求があったときの、光ディスク装置２０における処理について図３のフローチャートを用いて説明する。
図３のフローチャートは、ＣＰＵ４０によって実行される一連の処理アルゴリズムに対応している。上位装置９０から記録要求コマンドを受信すると、フラッシュメモリ３９に格納されている図３のフローチャートに対応するプログラム（以下、「記録処理プログラム」と言う）の先頭アドレスがＣＰＵ４０のプログラムカウンタにセットされ、記録処理がスタートする。
【００３９】
最初のステップ４０１では、所定の線速度（又は角速度）で光ディスク１５が回転するように駆動制御回路２６に指示するとともに、上位装置９０から記録要求コマンドを受信した旨を再生信号処理回路２８に通知する。なお、一例として、記録走査速度は９．１９ｍ／ｓ（ＤＶＤにおける２．４倍速に相当）とする。
【００４０】
次のステップ４０２では、再生信号処理回路２８を介して、光ディスク１５に記録されている校正条件及び記録ストラテジ情報を取得する。ここでは、再生信号処理回路２８は、レイヤ毎に検出されたウォブル信号を位相復調し、レイヤ毎に校正条件及び記録ストラテジ情報を抽出し、記録条件を設定する。なお、半導体レーザＬＤの発光波形を規定する各種パラメータは、前記レーザ制御回路２４の不図示のレジスタにセットされる。
次のステップ４０３では、前記ステップ４０２で取得された校正情報、記録条件に基づいて、ＯＰＣ処理を行い、最適な記録パワーＰｐを求める。
【００４１】
次にＯＰＣ処理の詳細を説明する。
図９において通常は記録パワーＰｗを変化させながら記録し、その記録結果を再生した時の変調度ｍを測定し、その変調度ｍからγ＝（ｄｍ/ｄＰｗ）/（Ｐｗ/ｍ）を算出し、γ＝γｔａｒｇｅｔとなったＰｗにρを乗算した値Ｐｐを最適記録パワーとする。γｔａｒｇｅｔとρは、校正情報として取得済である。
しかし、前述のように３層光ディスクのＬ１層の場合は、γ＝γｔａｒｇｅｔとなったＰｗをＰｔａｒｇｅｔ３とする。すなわち、Ｐｔａｒｇｅｔ３にρ（１以上の値）を乗算した値Ｐｐ３を最適記録パワーとしてしまう。
【００４２】
そこで、本発明は変調度ｍを実際に測定された値から補正を行う。例えばαと言う補正係数をあらかじめ校正情報として光ディスクに記録しておき、ｍαを真の変調度として計算を行う。そうする事によって図９における２層光ディスクのＬ１と同様に最適な記録パワーを得る事が可能となる。
【００４３】
ここで、例えば補正係数αは、α＝１．５とか、１以上の値である。つまり、
α＝（フレア光の影響のある変調度）／（フレア光の影響の無い変調度）
である。また、αは隣接層との層間隔から決める事も可能である。
例えば図４の関係からαを求める事が可能である。つまり、校正情報として隣接層との層間隔をあらかじめ光ディスクに記録しておく事も可能である。
次のステップ４０４では、以上から得られた最適な記録パワーで対象記録層にユーザデータを記録する。
【００４４】
以上の説明から明らかなように、本実施例に係る光ディスク装置２０では、フラッシュメモリ３９によってメモリが構成され、エンコーダ２５とレーザ制御回路２４とによって処理装置が構成されている。また、ＣＰＵ４０によって制御用コンピュータが構成されている。
また、本実施例では、フラッシュメモリ３９に格納されているプログラムのうち、前記記録処理プログラムに本発明に係るプログラムが含まれている。そして、上記記録処理において、本発明に係る記録方法が実施されている。
【００４５】
また、上記実施例では、記録層毎に、各記録層に対応する校正情報及び記録ストラテジ情報が個別に記録されている場合について説明したが、これに限定されるものではなく、例えば、いずれかの記録層のみに、各記録層に対応する校正情報及び記録ストラテジ情報が全て記録されていても良い。
【００４６】
また、上記実施例では、校正情報及び記録ストラテジ情報が記録層毎にそれぞれ設定されている場合について説明したが、これに限定されるものではなく、例えば、記録層による違いが小さいときには、例えば平均的な校正情報及び記録ストラテジ情報が設定され、いずれかの記録層に記録されていても良い。
また、上記実施例では、光ディスクの内周部と外周部とに試し書き領域をそれぞれ設ける場合について説明したが、これに限らず、内周部及び外周部のいずれかに試し書き領域を設けても良い。
また、上記実施例では、半径位置が２３．４ｍｍ〜２３．７５ｍｍの間にディスク内周部の試し書き領域が設けられている場合について説明したが、上記半径位置に限定されるものではない。
また、上記実施例では、半径位置が５８．１ｍｍ〜５８．２５ｍｍの間にディスク外周部の試し書き領域が設けられている場合について説明したが、上記半径位置に限定されるものではない。
【００４７】
さらに、上記実施例では、本発明に係るプログラムは、フラッシュメモリ３９に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９に格納されていれば良い。
【００４８】
また、上記実施形態では、光ディスク１５がＤＶＤ系の情報記録媒体の場合について説明したが、本発明はこれに限定されるものではなく、例えば、ＣＤ系の書き換え可能な片面多層光ディスクや、波長が４０５ｎｍの光束に対応する書き換え可能な片面多層光ディスクであっても良い。この場合に、例えば光ピックアップ装置２３の対物レンズ６０の開口数：ＮＡ＝０．５、波長：λ＝７８０ｎｍのＣＤでは、トラックピッチは１．６μｍであり、ＮＡ＝０．６５、λ＝４０５ｎｍのＨＤ  ＤＶＤでは、トラックピッチは０．４μｍである。
【００４９】
さらにまた、上記実施例では、光ピックアップ装置２３が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置２０が互いに異なる規格に準拠した複数種類の光ディスクに対応する光ディスク装置であっても良い。このときには、複数種類の光ディスクのうちの少なくとも１種類の光ディスクが書き換え可能な片面多層光ディスクであれば良い。
【００５０】
以上説明したように、本発明の最適記録パワー設定方法を用いた記録方法及び光ディスク装置によれば、複数の書き換え可能な記録層を有する光ディスクに安定した記録品質で記録を行うのに適している。従って、本発明によれば、安定した記録品質で記録を行うことができる記録方法と光ディスク装置を実現することができる。
【図面の簡単な説明】
【００５１】
【図１】本発明の一実施例を示す図であって、光ディスク装置の概略構成を示すブロック図である。
【図２】図１の光ディスク装置に装備される光ピックアップ装置の構成例を示す概略構成図である。
【図３】図１の光ディスク装置における記録処理の一例を示すフローチャートである。
【図４】多層光ディスクの隣接層との間隔と、補正係数αの関係を示す図である。
【図５】２層光ディスクからの反射光の状況を示した図である。
【図６】２層光ディスクからの反射光の受光量とデフォーカスの関係を示した図である。
【図７】３層光ディスクからの反射光の状況を示した図である。
【図８】３層光ディスクからの反射光の受光量とデフォーカスの関係を示した図である。
【図９】２層光ディスクのＬ１層と、３層光ディスクのＬ１層を、γ法を用いてＯＰＣを行った場合の説明図である。
【符号の説明】
【００５２】
１５：多層光ディスク
２０：光ディスク装置
２１：シークモータ
２２：スピンドルモータ
２３：光ピックアップ装置
２４：レーザ制御回路
２５：エンコーダ
２６：駆動制御回路
２８：再生信号処理回路
３４：バッファＲＡＭ
３７：バッファマネージャ
３８：インターフェース
３９：フラッシュメモリ
４０：ＣＰＵ
４１：ＲＡＭ
５１：光源ユニット
５２：カップリングレンズ
５４：偏光ビームスプリッタ
５５：１／４波長板
５８：集光レンズ
６０：対物レンズ
９０：上位装置（パーソナルコンピュータ等）
ＡＣ：駆動系（フォーカシングアクチュエータ、トラッキングアクチュエータ）
ＰＤ：受光器
Ｌ０、Ｌ１、Ｌ２：記録層
【図１】
2009129497.tif 000003
【図２】
2009129497.tif 000004
【図３】
2009129497.tif 000005
【図４】
2009129497.tif 000006
【図５】
2009129497.tif 000007
【図６】
2009129497.tif 000008
【図７】
2009129497.tif 000009
【図８】
2009129497.tif 000010
【図９】
2009129497.tif 000011